(57)【要約】【課題】  従来の苗分離器は、一方の手で苗分離器を支え、その手首を捏ねて苗分離器全体を回動させ、紙筒苗列ＰＬの上部を剥離し、分離すると云う動作は手首に非常に負担がかかり、この作業を長時間行うこと重労働である。【解決手段】  一方の手で当板を分離する紙筒苗列の側面に当接して苗分離器を支え、他方の手で分離櫛の横ハンドルを操作して弧状針を紙筒苗列に刺して分離櫛を閉じた状態にし、分離櫛が閉じた状態で、苗分離器を立てたとき分離櫛が当板に対してロックされて回動不可となり、上記一方の手で当板下部を紙筒苗列の側面に押し当てながら横ハンドルを握っている上記他方の手を作業者の手前に引くことにより紙筒苗列の上部を剥離する様にして、一つの手にかかる負担を少なくした。【選択図】  図３
2005312412.tif 000002
【特許請求の範囲】
【請求項１】
個々の苗に分離可能な連結苗群を列状に分離する苗分離器に於いて、多数の弧状針を設けた分離櫛を当板に回動可能に設け、該分離櫛が閉じた状態で、苗分離器を立てたとき分離櫛が当板に対してロックされて回動不可となり、倒したときには該ロックが解除されて回動可能になることを特徴とする苗分離器。
【請求項２】
個々の苗に分離可能な連結苗群を列状に分離する苗分離器に於いて、多数の弧状針を設けた分離櫛を当板に回動可能に設け、回動支点を形成する分離櫛を支持する分離櫛支持部材と当板を支持する当板支持部材のそれぞれに穴を設け、該分離櫛が閉じた状態では、当板側の当板支持部材の穴と分離櫛側の分離櫛支持部材の穴とが合致する様にし、且つ、苗分離器を立てたときには球体が該穴に移動貫入し、分離櫛支持部材と当板支持部材の両方に球体が掛かり、分離櫛と当板とを該球体を介して係合ロックさせて分離櫛は回動不可となり、倒したときには該球体が移動して分離櫛支持部材あるいは当板支持部材のどちらかの部材側に収納され、他方の部材に拘わらない様にし、該ロックが解除されて分離櫛が回動可能になることを特徴とする請求項１の苗分離器。
【発明の詳細な説明】
【技術分野】
【０００１】  本発明は、個々の苗に分離可能な連結苗群を列状に分離する苗分離器に関する。
【背景技術】
【０００２】  従来の苗分離器としては、実公昭４９−１０７４６号，実公平３−２７３７４号，実公平７−２６８９１号公報等に記載のものが知られている。【０００３】  以下、図１１〜図１４により従来の苗分離器について説明する。図１１に於いて当板１０１の紙筒苗列当接裏面に左右当板支持部材１０２ａ，１０２ｂおよび上支持片１０３ａと下支持片１０３ｂを設け、さらに上下支持片１０３ａ，１０３ｂの後端に縦ハンドル１０４を設け、また、分離櫛支持部材１０５ａ，１０５ｂの先端に横架部材１０７を配設し、さらに該横部材１０７には多数の弧状針１０８を櫛状に植設するとともに横ハンドル１０９を設け、それらが一体となった図１２に示す分離櫛１２０を形成し、上記左右当板支持部材１０２ａ，１０２ｂには分離櫛支持部材１０５ａ，１０５ｂを支点１０６を中心に回動可能に取り付け、当板１０１に対して分離櫛１２０が回動自在になっている。【０００４】  この苗分離器は、図１３および図１４のＡ図に示す様に、作業者が一方の手で上記縦ハンドル１０４をもって連結紙筒苗群Ｐ’の最前列の紙筒苗列ＰＬ’の側面に当板１０１を当接すると共に該紙筒苗列ＰＬ’の上面に当板１０１の上部を当接面側に折り曲げた折曲片１１０を上載し、図１４のＢ図に示す様に当板１０１を支持固定した状態で他方の手で上記横ハンドル１０９を操作して分離櫛１２０を回動させ、弧状針１０８を分離する紙筒苗列ＰＬ’に挿入し、挿入後、図１４のＣ図に示す様に縦ハンドル１０４をもった手の手首を捏ねる様にして当板１０１の下部１０１’を紙筒苗列ＰＬ’に押し当てながら、且つ、下部１０１’を中心に苗分離器全体を作業者の手前側に回動させて分離する紙筒苗列ＰＬ’を上部を徐々に剥がした後、苗分離器全体を手前に引くか、あるいは下方に押し下げるかして図１４のＤ図の通り列状に紙筒苗を分離する。
【発明の開示】
【発明が解決しようとする課題】
【０００５】  紙筒苗列ＰＬ’を分離する際に、いきなり苗分離器全体を手前に引くか、あるいは下方に押し下げるなどして分離すると紙筒苗列ＰＬ’の次列の苗が分離する紙筒苗列ＰＬ’にくっついてきて、きれいに列状に分離できないため、上部から徐々に剥離しなければならない。【０００６】  しかし、一つの手で苗分離器を支え、その手首を捏ねて苗分離器全体を回動させるという動作は非常に重労働で、この動作を一日に７０００回以上も行わなければならないビート移植においては手首が非常に疲労し、腱鞘炎になる場合もある。【０００７】  本発明の目的は、一方の手で分離器を支え、他方の手で紙筒苗列の上部を剥離するための苗分離器の回動操作を行う様にして、一つの手にかかる作業負担を軽減することにある。
【課題を解決するための手段】
【０００８】  通常、分離する連結紙筒苗群Ｐ’は、水平に置かれ、当板１０１を当接する苗列側面は垂直となる、そして、分離器全体を立てた状態で苗列を分離し、紙筒苗列を解放するとき、すなわち、移植機等に苗を供給する場合には、分離器全体をほぼ水平に倒して、分離櫛１２０を回動させて分離した苗列を解放する。この様に、通常、苗列を分離するときと、解放するときとでは分離器の姿勢を変えて使用するものである。【０００９】  請求項１記載の発明は、一方の手で分離器を起立させ、分離する紙筒苗列ＰＬの垂直状態にある側面に当板１を当接し、他方の手で分離櫛２０の横ハンドル９を操作して回動させ、紙筒苗列ＰＬに弧状針８を刺したとき、すなわち分離器を立てた状態で当板１に対して分離櫛２０を閉じたとき、当板１と分離櫛２０とがロック固定され、該一方の手で当板１の下部を当接しながら該他方の手で横ハンドルを引き、分離器全体を当板１の下部を中心に回動させ、紙筒苗列１２を上部から剥離する様にした。そして、分離した紙筒苗列ＰＬを解放するときには、分離器を寝かせ倒すことによって当板１と分離櫛２０とのロックが解除され、該他方の手で横ハンドル９を操作して分離櫛２０を回動させて開き、紙筒苗列ＰＬを解放する苗分離器である。【００１０】  請求項２の発明は、多数の弧状針を設けた分離櫛２０を当板１に回動可能に設け、回動支点を形成する分離櫛２０の分離櫛支持部材５ａ，５ｂと当板１の当板支持部材２ａ，２ｂのそれぞれに球体貫入穴５ａｈ，５ｂｈおよび２ａｈ，２ｂｈを設け、該分離櫛１１が閉じた状態では、当板支持部材２ａ，２ｂの球体貫入穴と分離櫛支持部材５ａ，５ｂの球体貫入穴とが合致する様にし、且つ、苗分離器を立てたときには球体１２が該球体貫入穴に移動貫入し、分離櫛支持部材２ａと当板支持部材５ａおよび２ｂ，５ｂのそれぞれ両方に球体が掛かる様にして分離櫛２０と当板１とを該球体を介して係合ロックさせ、分離櫛２０は当板１に対して回動不可となり、倒したときには該球体１２が移動して分離櫛支持部材５ａ，５ｂあるいは当板支持部材２ａ，２ｂのどちらかの部材側に収納され他方の部材に拘わらない様にし、該ロックが解除されて回動可能になる請求項１の苗分離器である。
【発明を実施するための最良の形態】
【００１１】以下、発明の実施形態を図１〜図１０に基づいて説明する。【００１２】  図１に於いて、当板１の紙筒苗列当接裏面に左右当板支持部材２ａ，２ｂおよび上支持片３ａと下支持片３ｂを設け、さらに上下支持片３ａ，３ｂの後端に縦ハンドル４を設け、また、分離櫛支持部材５ａ，５ｂの先端に横架部材７を配設し、さらに該横架部材７には多数の弧状針８を櫛状に植設するとともに横ハンドル９を設け、それらが一体となった図２に示す分離櫛２０を形成し、上記左右当板支持部材２ａ，２ｂに分離櫛支持部材５ａ，５ｂを支点ピン６を中心に回動可能に取り付け、当板１に対して分離櫛２０が回動自在になっている。【００１３】  また、図３，図４に示す通り、分離櫛支持部材５ａには球体貫入穴５ａｈと球体ガイド５ａ’および支点穴１４を設け、図３，図５に示す通り当板支持部材２ａにも同じく球体貫入穴２ａｈと球体ガイドケース１３および支点穴１５を設け、図３に示す通り分離櫛支持部材５ａと当板支持部材２ａを支点穴１４と支点穴１５に支点ピン６を貫入してが回動自在になる様に係止する。【００１４】  次に、球体１２の作用を説明すると、図６のＡ図およびＢ図に示す通り当板１に対して前記部材で構成する分離櫛２０が開いているとき、すなわち球体貫入穴２ａｈと５ａｈとが合致していないとき、球体１２は当板支持部材２ａに設けた球体ガイドケース１３に収納されて分離櫛支持部材５ａに拘わらないので当板１に対して分離櫛２０は支点ピン６を中心に回動自在となっている。【００１５】  図７のＡ図およびＢ図に示す通り当板１に対して前記部材で構成する分離櫛２０が閉じたとき、すなわち球体貫入穴２ａｈと球体貫入穴５ａｈとが合致したとき、球体１２は球体貫入穴２ａｈおよび球体貫入穴５ａｈの下方であって、且つ、球体ガイド５ａ’と球体ガイドケース１３にガイドされて図７のＢ図に示す通り球体１２は１２’へと移動し、当板支持部材２ａと分離櫛支持部材５ａの両方に拘わって当板１と分離櫛２０はロックされ回動不可となる。【００１６】  図７の状態の分離器を図８のＡ図に示す様に倒すと球体１２は球体貫入穴２ａｈおよび球体貫入穴５ａｈの下方であって、且つ、球体ガイド５ａ’と球体ガイドケース１３にガイドされて図８のＢ図に示す通り球体１２は１２’の位置から移動して球体ガイドケース１３に収納され、分離櫛支持部材５ａとの拘わりを解除されて分離櫛２０は回動可能となる。
球体ストッパー２ａ’は球体１２が球体ガイドケース１３に収納されたときに外へ飛びでない様にするための規制部材である。【００１７】以上、説明の通り、本発明の苗分離器は分離櫛２０を閉じた状態で立てると、分離櫛２０は回動不可となり、倒すと回動可能となる。【００１８】  以上の機構での苗列分離工程を図９，図１０により説明すると、従来の苗分離器と同様に、作業者が一方の手で上記縦ハンドル４をもって図９および図１０のＡ図に示す様に連結紙筒苗群Ｐの最前列の紙筒苗列ＰＬの側面に当板１を当接すると共に該紙筒苗列ＰＬの上面に当板１の上部を当接面側に折り曲げた折曲片１０を上載し、図９のＢ図に示す様に当板１を支持固定した状態で他方の手で上記横ハンドル９を操作して分離櫛２０を回動させ、弧状針８を分離する紙筒苗列ＰＬに挿入する、ここで、当板１と分離櫛２０はロックされて回動不可となり、当板１の下部１’を紙筒苗列ＰＬに押し当てながら、且つ、他方の手で横ハンドル９を矢印１６方向に引き、下部１’を中心として苗分離器全体を作業者の手前側に回動させて分離する紙筒苗列ＰＬを上部を徐々に剥がした後、図１０のＣ図に示す様に苗分離器全体を手前に引くか、あるいは下方に押し下げるかして列状に紙筒苗を分離する。次に分離器を図１０のＤ図に示す通り倒すと当板１と分離櫛２０とのロックは解除され横ハンドル９を矢印１７方向へ操作して分離櫛２０を開いて紙筒苗列ＰＬを解放する。【００１９】  なお、本発明は紙を使った紙筒苗に拘るものでなく、個々に分離可能なものであれば育苗素材としてビニールの様なものでも良い。
【発明の効果】
【００２０】  以上述べた様に本発明の苗分離器は、一方の手で分離器を支え、他方の手で紙筒苗列の上部分離を行う様にし、作業を分散させて一方の手にかかる負担を軽くすることにより、長時間の苗分離作業での疲労を軽減するものである。
【図面の簡単な説明】
【００２１】
【図１】  本発明の苗分離器の外観図で図Ａは正面図、図Ｂは側面図を表す。
【図２】  分離櫛２０を構成する各部材を表し、図Ａは正面図、図Ｂは側面図である。
【図３】  本発明部分の正面拡大詳細図である。
【図４】  分離櫛支持部材５ａの詳細図である。
【図５】  当板支持部材２ａの詳細図である。
【図６】  Ａ図は当板支持部材２ａの球体貫入穴２ａｈと分離櫛支持部材５ａの球体貫入穴２ａｈが合致していないときの側面図であって、Ｂ図はその内部構造とその時の球体１２の位置を示す。
【図７】  Ａ図は当板支持部材２ａの球体貫入穴２ａｈと分離櫛支持部材５ａの球体貫入穴２ａｈが合致し、且つ、苗分離器を立てたときの側面図であって、Ｂ図はその内部構造とその時の球体１２が移動した位置を示す。
【図８】  Ａ図は当板支持部材２ａの球体貫入穴２ａｈと分離櫛支持部材５ａの球体貫入穴２ａｈが合致し、且つ、苗分離器を倒したときの側面図であって、Ｂ図はその内部構造とその時の球体１２が移動した位置を示す。
【図９】  苗分離器の当板１を分離しようとする紙筒苗列ＰＬの側面に当接したときの平面図である。
【図１０】  本発明における紙筒苗列ＰＬを分離する工程図である。Ａ図は、当板１を分離しようとする紙筒苗列ＰＬの側面に当接し、弧状針８を刺した図である。Ｂ図は、紙筒苗列ＰＬの上部を剥離した図である。Ｃ図は、紙筒苗列ＰＬを分離した図である。Ｄ図は、苗分離器を倒して紙筒苗列ＰＬを解放した図である。
【図１１】  従来の苗分離器の外観図で図Ａは正面図、図Ｂは側面図を表す。
【図１２】  分離櫛１２０を構成する各部材を表し、図Ａは正面図、図Ｂは側面図である。
【図１３】  従来の苗分離器の当板１０１を分離しようとする紙筒苗列ＰＬ’の側面に当接したときの平面図である。
【図１４】  従来の苗分離器における紙筒苗列ＰＬ’を分離する工程図である。Ａ図は、当板１０１を分離しようとする紙筒苗列ＰＬ’の側面に当接した図である。Ｂ図は、弧状針１０８を紙筒苗列ＰＬ’に刺した図である。Ｃ図は、紙筒苗列ＰＬ’の上部を剥離した図である。Ｄ図は、紙筒苗列ＰＬ’を分離した図である。
【符号の説明】
【００２２】Ｐ          連結紙筒苗群
ＰＬ’      紙筒苗列
１          当板
２ａ        当板支持部材
２ａｈ      球体貫入穴
２ａ’      球体ストッパー
２ｂ        当板支持部材
３ａ        上支持片３ａと
３ｂ        下支持片
４          縦ハンドル
５ａ        分離櫛支持部材
５ａｈ      球体貫入穴
５ａ’      球体ガイド
５ｂ        分離櫛支持部材
６          支点ピン
７          横架部材
８          弧状針
９          横ハンドル
１０        折曲片
１２        球体
１３        球体ガイドケース
１４        支点穴
１５        支点穴
【図１】
2005312412.tif 000003
【図２】
2005312412.tif 000004
【図３】
2005312412.tif 000005
【図４】
2005312412.tif 000006
【図５】
2005312412.tif 000007
【図６】
2005312412.tif 000008
【図７】
2005312412.tif 000009
【図８】
2005312412.tif 000010
【図９】
2005312412.tif 000011
【図１０】
2005312412.tif 000012
【図１１】
2005312412.tif 000013
【図１２】
2005312412.tif 000014
【図１３】
2005312412.tif 000015
【図１４】
2005312412.tif 000016